(57)【要約】【課題】  本発明は、術中の術野を電子カメラで撮影してディスプレイ上に表示すると共に、歯科用機器の操作方向とディスプレイ上で表示される歯科用機器の運動方向の、少なくとも任意の一方向を一致させ、口腔内における歯科用機器の操作を直視的に行えるよう支援すると共に、口腔内カメラの衛生的な繰り返し使用を目的とする、安価なデンタルビデオミラーシステムの提供を課題とするものである。【手段】  本発明は、バッテリー、照明装置、送信回路を備えたコードレスビデオカメラを、透明な樹脂製カプセルの中に装填してデンタルミラーの把柄部に装着し、デンタルミラーの鏡面反射像を撮像して画像信号を口腔外に送信することを手段とするものである。【選択図】図１
2005066284.tif 000002
【特許請求の範囲】
【請求項１】
デンタルミラーの把柄部にコードレスカメラを装着し、ミラーの鏡面反射像を撮像して口腔外に送信することを特徴とする、デンタルビデオミラーシステム。
【発明の詳細な説明】
【発明の詳細な説明】
【技術分野】
【０００１】  本発明は、口腔内をビデオカメラで撮影してディスプレイ上にリアルタイム表示する、電子式の口腔内カメラに属するもので、コードレスビデオカメラとデンタルミラーを用いて口腔内を間接式に撮影することを目的とした、デンタルミラーシステムに関するものである。
【背景技術】
【０００２】  口腔内における歯科処置では、術野を直視しながら機器を到達させて操作する、いわゆる直視／直達環境の設定が困難な場合があり、デンタルミラーの鏡面反射像にて処置を行うことがしばしばであった。
しかしながら、ミラーの鏡面反射像による術野の間接視認では、歯科用機器の実際の操作方向とミラーの鏡面反射像における機器の運動方向とが一致しない光学的位置関係となる場合があり、デンタルミラーを介する歯科用機器の操作には、ミラーテクニックと称される鏡面反射像を元にした歯科用機器の操作技術を習得する必要があった。
一方、ミラーテクニックを用いない、直視／直達による機器の操作では、デンタルミラーは軟組織の迫る狭い口腔内空間を圧排、拡大して、機器の安全な操作空間を確保するプロテクターとして使用され、鏡として使用されるものではなかった。
他方、従来の口腔内カメラは患者への説明を目的としたものであったため、映像機器のソフトにてディスプレイ上の倒立像を回転させることが可能であったものの、その形態と大きさ、感染予防のための袋状カバーを必要とする運用様式では、口腔内における歯科用器具との同時使用が困難な外、血液や唾液による直接汚染が予想される中での切削器具の使用には、ビデオカメラの汚染防止処置が不十分であり、使用後の感染防御処置も不十分にならざるを得ない欠点があった。
【発明が解決しようとする課題】
【０００３】  本発明は、術中の歯科用機器の作用部位である施術野を電子カメラで撮影してディスプレイ上に表示すると共に、歯科用機器の操作方向とディスプレイ上で表示される歯科用機器の運動方向の、少なくとも任意の一方向を一致させ、口腔内における歯科用機器の操作を直視的に行えるよう支援すると共に、口腔内カメラの衛生的な繰り返し使用を目的とする、デンタルビデオミラーシステ厶の提供を課題とするものである。
【課題を解決するための手段】
【０００４】  本発明は、電源、照明装置、送信回路を備えたコードレスビデオカメラを、透明な樹脂製カプセルの中に装填してデンタルミラーの把柄部に装着し、デンタルミラーの鏡面反射像を撮像して、その画像信号を口腔外に送信することを手段とするものである。
【発明を実施するための最良の形態】
【０００５】  以下、発明の実施の形態を実施例にもとずき図面を参照して説明する。
図１は、透明樹脂製カプセル本体と樹脂製カプセルキヤップとからなる樹脂製カプセルの中にコードレスビデオカメラを装填し、クリップを介してデンタルミラーの把柄部に装着することにより、デンタルミラー・ヘッド部の鏡面反射像を撮像して信号電波を口腔外の受像装置に送信し、受像装置と接続した左眼用片眼式シースルータイプディスプレイに表示する本発明の実施の一例を示す模式図である。【０００６】  図２は、白色ＬＥＤ３基とバッテリー、送信回路を含むコードレスビデオカメラと、透明樹脂製カプセル本体、樹脂製カプセルキヤップを示す斜視図である。【０００７】  図３は、透明樹脂製カプセル本体の中にコードレスビデオカメラを装填してネジ式の樹脂製カプセルキヤップを締め、透明樹脂製カプセルの中にコードレスビテオカメラを密閉したものをクリップにてデンタルミラーの把柄部に装着したことを示す、本実施例の斜視図である。
【発明の作用並びに効果】
【０００８】  本実施例は、術者が患者の右側に位置するよう設計されている歯科用ユニットの使用環境に則したもので、左眼用片眼式シースルータイプディスプレイで術野の拡大像を視認する一方、口腔内と周囲に対して広い視野がとれる右側の眼で、機器の位置を含む術野の全体像を視認することができるため、術中の患者の動きに対応しながら歯科用機器を安全に精密に操作することが可能である。
また、術中、手術用グローブをしたままコードレスビデオカメラの入ったカプセルを長軸を回転中心として任意の角度回転させることができるので、ディスプレイ上の表示画像を高価な装置を用いずに任意の角度回転させ、実際の器具の操作方向とディスプレイ上で表示される器具の運動方向の、上下左右における少なくとも任意の一方向を一致させて直視／直達に近い歯科用機器の操作環境を提供することができる。
【０００９】  さらに、光学機器、電子機器がネジで締められたカプセルの中に密閉されているため、血液や唾液による直接汚染や、切削、研磨処置による損傷等が防止され、コードレスビデオカメラ全体を衛生的に繰り返し使用することが可能である。
また、カプセル内からコードレスビデオカメラを取り出して、電子機器類とカプセルとを分離することが可能なため、汚染されたカプセルの廃棄やカプセル自体の十分な感染予防処理が容易である。
【００１０】  本発明では袋状カバーがなく、デンタルミラーそのものの感覚で使用することができて操作性が良い外、デンタルミラーをプロテクターとして使用することも容易である。
さらに、デンタルミラー上のコードレスビデオカメラの設置位置が、ミラー・ヘッド部にて口腔周囲組織をプロテクトしている空間内にあるため、歯科用機器の操作空間を確保しながら術中の術野を撮影することが容易である。
また、デンタルミラーが斜鏡として作用するため、歯髄処置中の臼歯部歯冠内や下顎前歯部舌側でも、反射像としてとらえることが容易である。
【００１１】  術中の術野をディスプレイ上に表示できるので、歯科医師の教育や患者とのインフォームドコンセントに重要な情報を提供することができる。
【図面の簡単な説明】
【図１】  本システムの斜視図である。
【図２】  コードレスビデオカメラと透明樹脂製カプセル本体、樹脂製カプセルキヤップの斜視図である。
【図３】  コードレスビデオカメラを樹脂製カプセルの中に密閉して、クリップを介してデンタルミラーに装着したことを示す斜視図である。
【符号の説明】
１．デンタルミラー・ヘッド部
２．デンタルミラー・把柄部
３．クリップ
４．透明樹脂製カプセル本体
５．樹脂製カプセルキヤップ
６．受像装置
７．接続ケーブル
８．片眼式シースルータイプディスプレイ
９．マウント用防護メガネ
１０．コードレスビデオカメラ
１１．レンズ
１２．白色ＬＥＤ
【図１】
2005066284.tif 000003
【図２】
2005066284.tif 000004
【図３】
2005066284.tif 000005